【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
第１ハウジングと、
前記第１ハウジングの内に配置される第２ハウジングと、
前記第２ハウジングの内に配置されるボビンと、
前記ボビンの上又は前記ボビンに配置される絞りと、
前記第１ハウジングに配置される第１コイル、第２コイル、第３コイル及び第４コイルと、
前記第２ハウジングに配置されて前記第１コイルと対応するように配置される第１マグネットと、
前記ボビンに配置されて前記第２コイルと対応するように配置される第２マグネットと、
前記ボビンに配置されて前記第３コイルと対応するように配置される第３マグネットと、
前記絞りに配置されて前記第４コイルと対応するように配置される第４マグネットと、を含み、
前記第１コイル、前記第２コイル、前記第３コイル及び前記第４コイルは、互いに離隔される、レンズ駆動装置。
【請求項２】
前記第１コイルと前記第２コイルは、光軸を基準に互いに反対側に配置され、
前記第３コイルと前記第４コイルは、前記光軸を基準に互いに反対側に配置される、請求項１に記載のレンズ駆動装置。
【請求項３】
前記第１コイル、前記第１マグネット、前記第２マグネット及び前記第２コイルは、光軸に垂直な第１方向に互いにオーバーラップされ、
前記第３コイル、前記第３マグネット、前記第４マグネット及び前記第４コイルは、前記光軸及び前記第１方向に垂直な第２方向に互いにオーバーラップされる、請求項１又は２に記載のレンズ駆動装置。
【請求項４】
前記第１ハウジングは、第１コーナー、第２コーナー、第３コーナー及び第４コーナーを含み、
前記第１コイルは、前記第１コーナーと前記第２コーナーとの間に配置され、
前記第２コイルは、前記第２コーナーと前記第３コーナーとの間に配置され、
前記第３コイルは、前記第３コーナーと前記第４コーナーとの間に配置され、
前記第４コイルは、前記第４コーナーと前記第１コーナーとの間に配置される、請求項１〜３のいずれか一項に記載のレンズ駆動装置。
【請求項５】
前記第１ハウジングに配置される基板を含み、
前記基板は、第１基板、第２基板、第３基板及び第４基板と、前記第１基板、前記第２基板、前記第３基板及び前記第４基板を連結する連結基板と、を含み、
前記第１コイルは、前記第１基板に配置され、
前記第２コイルは、前記第２基板に配置され、
前記第３コイルは、前記第３基板に配置され、
前記第４コイルは、前記第４基板に配置され、
前記連結基板は、
前記第１基板と前記第３基板を連結する第１連結基板と、
前記第３基板と前記第２基板を連結する第２連結基板と、
前記第２基板と前記第４基板を連結する第３連結基板と、を含む、請求項１〜４のいずれか一項に記載のレンズ駆動装置。
【請求項６】
前記第１基板に配置されて前記第１マグネットを感知する第１センサーと、
前記第２基板に配置されて前記第２マグネットを感知する第２センサーと、
前記第３基板に配置されて前記第３マグネットを感知する第３センサーと、
前記第４基板に配置されて前記第４マグネットを感知する第４センサーと、を含む、請求項５に記載のレンズ駆動装置。
【請求項７】
前記連結基板の光軸方向への長さは、前記第１基板の前記光軸方向への長さより短い、請求項５又は６に記載のレンズ駆動装置。
【請求項８】
前記第１ハウジングは、
互いに離隔して配置される第１コーナー、第２コーナー、第３コーナー及び第４コーナーと、
前記第１コーナーと前記第２コーナーとを連結する第１連結部と、
前記第２コーナーと前記第３コーナーとを連結する第２連結部と、
前記第３コーナーと前記第４コーナーとを連結する第３連結部と、
前記第４コーナーと前記第１コーナーとを連結する第４連結部と、を含み、
前記第１コイルは、前記第１連結部に配置され、
前記第２コイルは、前記第２連結部に配置され、
前記第３コイルは、前記第３連結部に配置され、
前記第４コイルは、前記第４連結部に配置される、請求項１〜７のいずれか一項に記載のレンズ駆動装置。
【請求項９】
前記第１ハウジングに配置される基板を含み、
前記基板の内側面に前記第１コイル、前記第２コイル、前記第３コイル及び前記第４コイルが配置され、
前記基板は、前記第１連結部、前記第２連結部、前記第３連結部及び前記第４連結部に配置される、請求項８に記載のレンズ駆動装置。
【請求項１０】
前記第２ハウジングは、前記第１マグネットと前記第１コイルとの電磁気的相互作用によって光軸方向に移動し、
前記ボビンは、前記第２マグネットと前記第２コイルとの電磁気的相互作用によって光軸と垂直な第１方向に移動し、又は、前記第１方向にチルトされ、
前記ボビンは、前記第３マグネットと前記第３コイルとの電磁気的相互作用によって前記光軸及び前記第１方向に垂直な第２方向に移動する、又は、前記第２方向にチルトされる、請求項１〜９のいずれか一項に記載のレンズ駆動装置。
【請求項１１】
前記絞りは、前記第４マグネットと前記第４コイルとの電磁気的相互作用によって前記絞りを通過する光量が調節されるように形成される、請求項１０に記載のレンズ駆動装置。
【請求項１２】
前記絞りは、
第１ガイド及び第２ガイドを含む固定子と、
前記固定子に配置されて前記第４マグネットが配置される可動子と、
一側が前記可動子と回転可能に連結されるコネクティングロッドと、
前記コネクティングロッドの他側と回転可能に連結されて中心が前記固定子と回転可能に連結される回転子と、
前記回転子の一側に配置される第１ブレードと、
前記回転子の他側に配置される第２ブレードと、を含み、
前記第１ブレードは、
一側が前記回転子の一側に回転可能に連結されて前記第１ガイドに沿って移動する第１連結ロッドと、
前記第１連結ロッドの他側に配置されて第１溝が形成された第１遮断板と、を含み、
前記第２ブレードは、
一側が前記回転子の他側に回転可能に連結されて前記第２ガイドに沿って移動する第２連結ロッドと、
前記第２連結ロッドの他側に配置されて第２溝が形成された第２遮断板と、を含み、
前記第１溝及び前記第２溝の少なくとも一部は、光軸方向でオーバーラップされ、
前記第１溝及び前記第２溝によって形成されるホールの面積は、前記第４マグネットと前記第４コイルとの電磁気的相互作用によって調節される、請求項１０又は１１に記載のレンズ駆動装置。
【請求項１３】
前記第１ハウジングと前記第２ハウジングとの間に配置される一つ以上の第１ボールベアリングと、
前記第２ハウジングと前記ボビンとの間に配置される移動部材と、
前記移動部材と前記ボビンとの間に配置される一つ以上の第２ボールベアリングと、
前記第２ハウジングと前記移動部材との間に配置される一つ以上の第３ボールベアリングと、を含む、請求項１〜１２のいずれか一項に記載のレンズ駆動装置。
【請求項１４】
印刷回路基板と、
前記印刷回路基板に配置されるイメージセンサーと、
前記印刷回路基板上に配置される請求項１〜１３のいずれか一項に記載のレンズ駆動装置と、
前記レンズ駆動装置の前記ボビンに結合されるレンズと、を含む、カメラモジュール。
【請求項１５】
フレームと、
前記フレームの一面に配置されるディスプレイと、
前記フレームに配置されて、前記ディスプレイと電気的に連結される請求項１４に記載のカメラモジュールと、を含む、光学機器。
【請求項１６】
第１ハウジングと、
前記第１ハウジングの内側に配置される第２ハウジングと、
前記第２ハウジングの内側に配置されるボビンと、
前記ボビンの上又は前記ボビンに配置される絞りと、
前記第１ハウジングに配置される基板と、
前記基板に配置される第１コイル、第２コイル、第３コイル及び第４コイルと、
前記第２ハウジングに配置されて、前記第１コイルと対向する第１マグネットと、
前記ボビンに配置されて、前記第２コイルと対向する第２マグネットと、
前記ボビンに配置されて、前記第３コイルと対向する第３マグネットと、
前記絞りに配置されて、前記第４コイルと対向する第４マグネットと、を含み、
前記第１コイルと前記第２コイルと前記第３コイルと前記第４コイルは、互いに電気的に分離される、レンズ駆動装置。
【請求項１７】
前記第１コイルと前記第２コイルは、互いに反対側に配置され、
前記第３コイルと前記第４コイルは、互いに反対側に配置される、請求項１６に記載のレンズ駆動装置。
【請求項１８】
前記第１コイルは、前記第１マグネットと対向する第１面を含み、
前記第３コイルは、前記第３マグネットと対向する第２面を含み、
前記第１コイルの前記第１面の面積は、前記第３コイルの前記第２面の面積より広い、請求項１６又は１７に記載のレンズ駆動装置。
【請求項１９】
前記基板は、第１基板、第２基板、第３基板及び第４基板と、前記第１基板、前記第２基板、前記第３基板及び前記第４基板を連結する連結基板と、を含み、
前記第１コイルは、前記第１基板に配置され、
前記第２コイルは、前記第２基板に配置され、
前記第３コイルは、前記第３基板に配置され、
前記第４コイルは、前記第４基板に配置され、
前記連結基板は、
前記第１基板と前記第３基板を連結する第１連結基板と、
前記第３基板と前記第２基板を連結する第２連結基板と、
前記第２基板と前記第４基板を連結する第３連結基板と、を含む、請求項１６〜１８のいずれか一項に記載のレンズ駆動装置。
【請求項２０】
第１ハウジングと、
前記第１ハウジングの内側に配置される第２ハウジングと、
前記第２ハウジングの内側に配置されるボビンと、
前記ボビンの上又は前記ボビンに配置される絞りと、
前記第１ハウジングに配置される第１コイル、第２コイル、第３コイル及び第４コイルと、
前記第２ハウジングに配置されて、前記第１コイルと対向する第１マグネットと、
前記ボビンに配置されて、前記第２コイルと対向する第２マグネットと、
前記ボビンに配置されて、前記第３コイルと対向する第３マグネットと、
前記絞りに配置されて、前記第４コイルと対向する第４マグネットと、を含み、
前記第１コイルに電流が印加される場合、前記第１マグネットは、光軸方向について移動し、
前記第２コイルに電流が印加される場合、前記第２マグネットは、前記光軸方向に垂直な第１方向に移動し、
前記第３コイルに電流が印加される場合、前記第３マグネットは、前記光軸方向及び前記第１方向に垂直な第２方向に移動し、
前記第４コイルに電流が印加される場合、前記第４マグネットは、前記絞りを通過する光量が変化するように移動する、レンズ駆動装置。